(57)【特許請求の範囲】
【請求項１】
紙積台支持テーブル移動板の移動装置において、
基板（１０）上に位置する紙積台支持テーブル移動板（１）は、その駆動系統が装着されるための、基板（１０）の支持面の形状に相応する輪郭の左サイド部分と右サイド部分とを有しており、その際紙積台支持テーブル移動板（１）は、その平面図で見て積紙台の装入側従って該移動装置の操作側で紙積台支持テーブル移動板（１）の中央部分の左右に開口した全体としてＥ字状に形成されており、
紙積台支持テーブル移動板（１）の移動装置は、該移動装置の操作側にあって、前後方向移動装置と左右方向移動装置とから成り、左右方向移動装置は、その回転軸を上方に向けたハンドル（１１）によって操作され，ボールねじ（１６）とナットブロック（１９）とのねじ対偶によるナットブロック（１９）の前後方向の移動によりナットブロックに固定されたローラ（２２）を介してＬ状揺動レバー（２３）を枢支軸（２４）を中心として左右方向に揺動させるボールねじ駆動装置（１６、１９、２３）及びダブティール又は平板直線ガイド装置（２０、２７）から構成されており、前後方向移動装置は、左右方向移動装置に対して平行に配設された２つの駆動系統を有し、一方の駆動系統は左右方向移動装置に直接隣接しており、該一方の駆動系統は、その回転軸を上方に向けたハンドル（３１）の操作によって駆動され、ボールねじ軸（３６）とナットブロック（３９）とのねじ対偶によりナットブロック（３９）を前後方向に移動させるボールねじ駆動装置（３６、３９）及びダブティール又は平板直線ガイド装置（４０、２７）から構成され、かつ他方の駆動系統は、その回転軸を上方に向けたハンドル（５１）の操作によって駆動され、ボールねじ軸（５６）とナットブロック（５９）とのねじ対偶によりナットブロック（５９）を前後方向に移動させるボールねじ駆動装置（５６、５９）及びダブティール又は平板直線ガイド装置（６０、４７）から構成されており、そして前後方向移動装置の個々の駆動系統は、紙積台支持テーブル移動板（１）の左右の両サイド部分に付設されており、左右方向移動装置の駆動系統は、紙積台支持テーブル移動板（１）の左サイド部分に付設されていることを特徴とする前記紙積台支持テーブル移動板の移動装置。
【請求項２】
紙積台支持テーブル移動板の移動装置において、
基板（１０）上に位置する紙積台支持テーブル移動板（１）は、その駆動系統が装着されるための、基板（１０）の支持面の形状に相応する輪郭の左サイド部分と右サイド部分とを有しており、その際紙積台支持テーブル移動板（１）は、その平面図で見て積紙台の装入側従って該移動装置の操作側で紙積台支持テーブル移動板（１）の中央部分の左右に開口した全体としてＥ字状に形成されており、
紙積台支持テーブル移動板（１）の移動装置は、該移動装置の操作側にあって、前後方向移動装置と左右方向移動装置とから成り、左右方向移動装置は、その回転軸を上方に向けたハンドル（１１）によって操作され，ボールねじ（１６）とナットブロック（１９）とのねじ対偶によるナットブロック（１９）の前後方向の移動によりナットブロックに固定されたローラ（２２）を介してＬ状揺動レバー（２３）を枢支軸（２４）を中心として左右方向に揺動させるボールねじ駆動装置（１６、１９、２３）及び平行溝直線ガイド装置（２８、２８ａ，１９’ｂ）から構成されており、前後方向移動装置は、左右方向移動装置に対して平行に配設された２つの駆動系統を有し、一方の駆動系統は左右方向移動装置に直接隣接しており、該一方の駆動系統は、その回転軸を上方に向けたハンドル（３１）の操作によって駆動され、ボールねじ軸（３６）とナットブロック（３９）とのねじ対偶によりナットブロック（３９）を前後方向に移動させるボールねじ駆動装置（３６、３９）及び平行溝直線ガイド装置（２９、２９ａ，３９’ｂ）から構成され、かつ他方の駆動系統は、その回転軸を上方に向けたハンドル（５１）の操作によって駆動され、ボールねじ軸（５６）とナットブロック（５９）とのねじ対偶によりナットブロック（５９）を前後方向に移動させるボールねじ駆動装置（５６、５９）及び平行溝直線ガイド装置（４８、４８ａ，５９’ｂ）から構成されており、そして前後方向移動装置の個々の駆動系統は、紙積台支持テーブル移動板（１）の左右の両サイド部分に付設されており、左右方向移動装置の駆動系統は、紙積台支持テーブル移動板（１）の左サイド部分に付設されていることを特徴とする前記紙積台支持テーブル移動板の移動装置。
【請求項３】
ダブティール又は平板直線ガイド装置の少なくとも１つが、平行溝直線ガイド装置によって置換されていることを特徴とする請求項１に記載の紙積台支持テーブル移動板の移動装置。
【請求項４】
平行溝直線ガイド装置の少なくとも１つが、ダブティール又は平板直線ガイド装置によって置換されていることを特徴とする請求項２に記載の紙積台支持テーブル移動板の移動装置。
【発明の詳細な説明】
【０００１】
【発明の属する技術分野】
本発明は、紙積台支持テーブル移動板の移動装置に関するものである。
【０００２】
【従来の技術】
従来印刷機の給紙部に印刷用紙を配置する際に、紙積台昇降装置により昇降される紙積台支持テーブル移動板の水平方向の移動は、ねじとナットとの組み合わせ機構によって行われる。しかし作業台上に立つ作業者のかかる機構の操作による紙積台支持テーブル移動板の左右方向のみの調整では、梱包を解かれた積み紙全体を印刷機の給紙部に対して正確に位置決めすることが困難である。そこで従来も作業台上に立つ作業者により操作される紙積台支持テーブル移動板の左右方向のみならず、前後方向にも調整する装置が公知である（特開昭59− 86519号公報）。しかし従来公知の装置では、紙積台支持テーブル移動板の移動装置として使用されるねじとナットの組合せ機構のみに依存しているため、該移動装置のハンドルの操作に大きな力を要し、また、全てのハンドルが該移動装置の操作側に集中的に配置されていない上に床面に近い低い位置にその回転軸を横に向けて配置されているために、身体を屈めて操作する必要がある等の点でその操作性が悪く、その結果、特に印刷作業中に印刷機の給紙部に対して補給される積紙を迅速かつ正確に位置決めすることが困難であった。
【０００３】
【発明が解決しようとする課題】
本発明の課題は、印刷機の給紙部に配置される積紙を載置する紙積台を支持する紙積台支持テーブルのテーブル移動板の移動装置を、その操作性を改善し、小さな操作力でかつ位置正確に位置決めすることができるように改良することである。
【０００４】
【課題を解決するための手段】
この課題は、本発明によれば特許請求の範囲第１項から第４項までに記載された発明特定事項によって解決される。
【０００５】
本発明を、図１〜図４に表された第１実施例及び図１及び図５〜図８に表された第２実施例に基づいて詳しく説明する。
【０００６】
【実施例】
図１〜図４に表された本発明による紙積台支持テーブル移動板の移動装置の第１実施例において、紙積台支持テーブル移動板の移動装置は、基板１０上に設置され、従って図１によれば、紙積台支持テーブル移動板１の下に紙積台支持テーブル移動板の移動装置が付設されている。紙積台支持テーブル移動板１は、その回転軸が上方を向いたハンドル１１を操作することにより、その操作量に応じて量だけ左右方向に移動されることができ、また、それぞれ回転軸が上方を向いたハンドル３１及びハンドル５１を操作することにより、その操作量に応じて量だけ前後方向に並進的に又は僅かに右方又は左方がより大きく前後移動されることにより、前後方向の傾きをもって紙積台支持テーブル移動板の移動及び調整が行われ得る。基板１０の紙積台支持テーブル移動板１の輪郭に相応した形状の図示しない支持面上での紙積台支持テーブル移動板１の移動を円滑にするために、紙積台支持テーブル移動板１の下面９個所にテフロン等から成る滑り子２が装着されている（図１）。
【０００７】
図２によれば、紙積台支持テーブル移動板１の左右方向の移動装置は次のようになっている。なお、紙積台支持テーブル移動板１の左右方向の移動装置は紙積台支持テーブル移動板１の両サイド部分のうちのいずれか一方に、図２によれば紙積台支持テーブル移動板１の左サイド部分に付設されている。紙積台支持テーブル移動板１の左右方向の移動装置の操作用のハンドル１１には握り１２が取付けられており、その回転軸が上方を向いたハンドル１１には傘歯車軸１３が結合されており、傘歯車軸１３には傘歯車１４が固定されている。傘歯車１４と噛み合う傘歯車１５はボールねじ軸１６の一端に固定されている。ボールねじ軸１６は傘歯車１５の近くの領域及びボールねじ軸１６の他端の領域で基板１０上に固定された軸受１７及び１８によって回転可能に支承されている。ボールねじ軸１６は、ねじ部１６ａを有し、このねじ部１６ａはナットブロック１９の内ねじ１９ａと噛み合っている。このねじ部１６ａとナットブロック１９の内ねじ１９ａとはこれらの間に図示しない多数のボールを収容したボールねじとして形成される。ナットブロック１９の一端からガイド板２０が延びており、ガイド板２０は、そのダブティール溝２０ａ又は図示しない矩形断面溝によって、基板１０上に設置されたガイドブロック２７のダブティール２７ａ又は図示しない平板と摺動可能に嵌合している。それによってガイド板２０、従ってナットブロック１９の前後方向の円滑かつ安定した直線案内が行われることができる。ナットブロック１９の他端の領域にはローラ軸２１が固定されておりかつローラ２２を回転可能に支承している。一方基板１０上に固定された枢支軸２４によって枢支軸２４のまわりに回動可能に設けられたＬ状揺動レバ２３の一方のアームの一端は又状部２３ａとして形成されておりかつ前記ローラ２２と嵌合していて互いにころがり接触する。Ｌ状揺動レバ２３の他方のアームの端部領域にはローラ軸２５によってローラ２６が回転可能に支承されている。ローラ２６は図１に示す紙積台支持テーブル移動板１の前後方向に長い長孔１ｃに嵌入している。それによってローラ２６の左右方向の移動に応じて紙積台支持テーブル移動板１の左右方向の移動が行われるようになる。
【０００８】
紙積台支持テーブル移動板１の前後方向の移動装置は、２つの駆動系統から成り、その一方の駆動系統は、紙積台支持テーブル移動板１の左サイド部分に左右方向の移動装置と共に付設されている。この駆動系統は紙積台支持テーブル移動板１の左右方向の移動装置に対して平行でかつ該駆動系統の一方は該左右方向の移動装置に対して直接隣接して配置されておりかつ該一方の駆動系統は、その回転軸が上方を向いたハンドル３１が設けられており、ハンドル３１には握り３２が取付けられており、図２〜図４には図示しないが、本発明による紙積台支持テーブル移動板の移動装置の第２実施例における図２の該部分と同様な機能を果たす図７に表わす構成と同一の構成である伝動機構を有するので、図７の構成を参照すれば、ハンドル３１には傘歯車軸３３が結合されており、傘歯車軸３３には傘歯車３４が固定されている。傘歯車３４と噛み合う傘歯車３５はボールねじ軸３６の一端に固定されている。ボールねじ軸３６は傘歯車３５の近く及びボールねじ軸３６の他端の領域で軸受３７及び３８によって回転可能に支承されている。ボールねじ軸３６はねじ部３６ａを有し、このねじ部３６ａはナットブロック３９′の内ねじ３９ａと噛み合っている。このねじ部３６ａとナットブロック３９の内ねじ３９ａとはこれらの間に多数のボールを収容するボールねじとして形成されている。ナットブロック３９の一端からガイド板４０が延びており、ガイド板４０はそのダブティール溝４０ａ又は図示しない矩形断面溝によって、基板１０上に設置されたガイドブロック２７のダブティール２７ａ又は図示しない平板と前後方向に摺動可能に嵌合している。それによってガイド板４０、従ってナットブロック３９の前後方向の円滑かつ安定した直線案内が行われることができる。ナットブロック３９の他端の領域にはローラ軸４１が固定されておりかつローラ４２を回転可能に支承している。このローラ４２は、紙積台支持テーブル移動板１の左右方向に長い長孔１ａに嵌入している。それによってナットブロック３９の前後方向の移動により紙積台支持テーブル移動板１の前後方向の移動が行われることができる。
【０００９】
また、他方の駆動系統は、紙積台支持テーブル移動板１の右サイド部分に付設されている。この駆動系統の操作は、その回転軸が上方を向いたハンドル５１の操作により行われる。ハンドル５１には握り５２が取付けられ、ハンドル５１には傘歯車軸５３が結合され、そして傘歯車軸５３には傘歯車５４が固定されている。傘歯車５４と噛み合う傘歯車５５はボールねじ軸５６の一端に固定されている。ボールねじ軸５６は傘歯車５５の近く及びボールねじ軸５６の他端の領域で軸受５７及び５８によって回転可能に支承されている。ボールねじ軸５６はねじ部５６ａを有し、このねじ部５６ａは、ナットブロック５９の内ねじ５９ａと噛み合っている。このねじ部５６ａとナットブロック５９の内ねじ５９ａとは、これらの間に多数のボールを収容するボールねじとして形成される。ナットブロック５９の一端からガイド板６０が延びており、ガイド板６０はそのダブティール溝６０ａ又は図示しない矩形断面溝によって、基板１０上に設置されたガイドブロック４７のダブティール４７ａ又は図示しない平板と摺動可能に嵌合している。それによってガイドブロック４７、従ってナットブロック５９の前後方向の円滑かつ安定した直線案内が行われることができる。ナットブロック５９の他端の領域にはローラ軸６１が固定されておりかつローラ６２を回転可能に支承している。このローラ６２は、紙積台支持テーブル移動板の左右方向に長い長孔１ｂに嵌入しており、それによってナットブロック５９の前後方向の移動により紙積台支持テーブル移動板１の前後方向の移動が行われることができる。
【００１０】
一方の駆動系統と他方の駆動系統とを、即ちハンドル３１と５１とを同時にかつ等しい操作量だけ操作すれば、その等しい操作量に応じた量だけ紙積台支持テーブル移動板１の前後方向の、紙積台支持テーブル移動板１の左右方向における傾きのない並進的な移動及び位置調整が行われることができ、一方ハンドル３１と５１とを任意にかつ異なる操作量づつ操作すれば、その異なる操作量に応じた量だけ紙積台支持テーブル移動板１の前後方向の、紙積台支持テーブル移動板１の左右方向において僅かな傾きをもった移動及びその傾き調整が行われ得る。
【００１１】
図１及び図５〜図８に表された本発明による紙積台支持テーブル移動板の移動装置の第２実施例において、紙積台支持テーブル移動板の移動装置は、基板１０上に設置される。図１によれば、紙積台支持テーブル移動板の移動装置は、紙積台支持テーブル移動板１の下に付設されている。紙積台支持テーブル移動板１は、その回転軸は上方を向いたハンドル１１を操作することにより、その操作量に応じて量だけ左右方向に移動されることができ、また、それぞれ回転軸が上方を向いたハンドル３１及びハンドル５１を操作することにより、その操作量に従って前後方向に並進的に又は僅かに紙積台支持テーブル移動板１の右方又は左方がより大きく前後移動されることにより、所望の前後方向の傾斜をもって紙積台支持テーブル移動板の移動位置が調整されることができる。基板１０の紙積台支持テーブル移動板１の輪郭に相応した形状の図示しない支持面上での紙積台支持テーブル移動板１の移動を円滑にするために紙積台支持テーブル移動板１の下面９個所にテフロン等から成る滑り子２が装着されている（図１）。
【００１２】
図５によれば、左右方向の移動装置は次のように構成されている。その回転軸が上方を向いたハンドル１１には握り１２が取付けられており、ハンドル１１には傘歯車軸１３が結合されており、傘歯車軸１３には傘歯車１４が固定されている。傘歯車１４と噛み合う傘歯車１５は、ボールねじ軸１６の一端に固定されている。ボールねじ軸１６は傘歯車１５の近くの領域及びボールねじ軸１６の他端の領域で基板１０上に固定された軸受１７及び１８によって回転可能に支承されている。ボールねじ軸１６はねじ部１６ａを有し、このねじ部１６ａはナットブロック１９′の内ねじ１９′ａと噛み合っている。このねじ部１６ａとナットブロック１９′の内ねじ１９′ａとはこれらの間に図示しない多数のボールを収容するボールねじとして形成される。ナットブロック１９′に沿ってガイド部材２８が基板１０上に固定されており、ガイド部材２８はその凸状部分２８ａによって、ナットブロック１９′の平行溝部分１９′ｂに嵌合し、それによってナットブロック１９′は凸状部分２８ａと平行溝部分１９′ｂとの間の摺動により前後方向に円滑かつ安定して案内されることができる。ナットブロック１９′の他端の領域にはローラ軸２１が固定されておりかつローラ２２を回転可能に支承している。一方基板１０上に固定された枢支軸２４によって枢支軸２４のまわりに回動可能に設けられたＬ状揺動レバ２３の一方のアームの一端は又状部２３ａとして形成されておりかつ前記ローラ２２と嵌合して互いにころがり接触する。Ｌ状揺動レバ２３の他方のアームの端部領域にはローラ軸２５によってローラ２６が回転可能に支承されている。ローラ２６は紙積台支持テーブル移動板１の前後方向に長い長孔１ｃに嵌入している。それによってローラ２６の左右方向の移動に応じて紙積台支持テーブル移動板１を左右方向に移動させるようになる。
【００１３】
紙積台支持テーブル移動板１の前後方向の移動装置は、２つの駆動系統から成り、各駆動系統は、紙積台支持テーブル移動板１の両サイド部分のいずれか一方に付設されている。一方の駆動系統は、その回転軸が上方を向いたハンドル３１の操作によって駆動される。ハンドル３１には握り３２が取付けられており、ハンドル３１には、図７に示すように傘歯車軸３３が結合されており、傘歯車軸３３には傘歯車３４が固定されている。傘歯車３４と噛み合う傘歯車３５はボールねじ軸３６の一端に固定されている。ボールねじ軸３６は傘歯車３５の近く及びボールねじ軸３６の他端の領域で軸受３７及び３８によって回転可能に支承されている。ボールねじ軸３６はねじ部３６ａを有し、このねじ部３６ａはナットブロック３９′の内ねじ３９′ａと噛み合っている。このねじ部３６ａとナットブロック３９′の内ねじ３９′ａとはボールねじとして形成される。ナットブロック３９′に沿って前後方向に基板１０上にガイド部材２９が固定されており、凸状部分２９ａはナットブロック３９′の平行溝部分３９′ｂに嵌合する。それによってナットブロック３９′の前後方向の移動の際にナットブロック３９′が凸状部分２９ａと平行溝部分３９′ｂとの間の摺動によって円滑かつ安定して直線案内される。ナットブロック３９′にはローラ軸４１が固定されており、ローラ軸４１によってローラ４２が回転可能に支承されている。ローラ４２は、紙積台支持テーブル移動板１の左右方向に長い長孔１ａに嵌入している。それによりナットブロック３９′の前後方向の移動に応じて紙積台支持テーブル移動板１を前後方向に移動させ得る。
【００１４】
他方の駆動系統はその回転軸が上方を向いたハンドル５１によって操作される。ハンドル５１には握り５２が取付けられ、ハンドル５１には傘歯車軸５３が結合されており、傘歯車軸５３には傘歯車５４が固定されている。傘歯車５４と噛み合う傘歯車５５はボールねじ軸５６の一端に固定されている。ボールねじ軸５６は傘歯車５５の近くの領域及びボールねじ軸５６の他端の領域で軸受５７及び５８によって回転可能に支承されている。ボールねじ軸５６はねじ部５６ａを有し、このねじ部５６ａはナットブロック５９の内ねじ５９ａと噛み合っている。このねじ部５６ａとナットブロック５９の内ねじ５９ａとは、これらの間に多数のボールを収容するボールねじとして形成される。ナットブロック５９に沿って前後方向に基板１０上にガイド部材４８が固定されており、凸状部分４８ａとナットブロック５９′の平行溝部分５９′ｂとの嵌合により、ナットブロック５９′の前後方向の移動の際にナットブロック５９′はガイド部材４８の凸状部分４８ａとナットブロック５９′の平行溝部分５９′ｂとの間の摺動によって直線案内されることができる。ナットブロック５９′にはローラ軸６１が固定されており、ローラ軸６１によってローラ６２が回転可能に支承されている。ローラ６２は、紙積台支持テーブル移動板１の左右方向に長い長孔１ｂに嵌入している。それによってナットブロック５９′の前後方向の移動に応じて紙積台支持テーブル移動板１を前後方向に移動させることができる。
【００１５】
前記一方の駆動系統と前記他方の駆動系統とを、即ちハンドル３１と５１とをそれぞれ等しい操作量だけ操作すれば、等しい操作量に応じた量だけ紙積台支持テーブル移動板１の前後方向の、紙積台支持テーブル移動板１の左右方向で傾きのない移動及び位置調整が行われることができ、一方ハンドル３１と５１とをそれぞれ異なる操作量づつ操作すれば、紙積台支持テーブル移動板１の前後方向の、紙積台支持テーブル移動板１の左右方向で僅かな傾きをもった移動及び傾き調整が行われる。
【００１６】
【発明の効果】
本発明による紙積台支持テーブル移動板移動装置によれば、作業台に立つ作業者から見て前後方向及び左右方向への紙積台支持テーブル移動板の移動及び位置調整が、本発明による紙積台支持テーブル移動板移動装置の操作側に集中的に配置されていてその回転軸を上方に向けたハンドルを作業者がその作業位置を変えることなしに小さい操作力で操作するだけで円滑かつ正確に行われることができ、その結果印刷機の給紙部への積紙の位置設定が円滑かつ正確に行われることができ、印刷工場における作業者の印刷準備作業状況が改善され、特に１つの積紙台上の積紙の印刷の終了真近に次の積紙台上の積紙を給紙部に供給することが迅速かつ位置正しく行われ、いわゆるノンストップ印刷が実施されることができ、その結果結局印刷機の好適な運転及び高品質の印刷の条件の１つが満足されることができる。
【図面の簡単な説明】
【図１】図１は、本発明による紙積台支持テーブル移動板の図式的平面図である。
【図２】図２は、図１に示す紙積台支持テーブル移動板に組み込まれる紙積台支持テーブルの移動板の移動装置の第１実施例の図式的平面図である。
【図３】図３は紙積台支持テーブル移動板の移動装置を図２の左側から見た側面図である。
【図４】図４は紙積台支持テーブル移動板の移動装置を図２の前側から見た端面図である。
【図５】図５は、図１に示す紙積台支持テーブル移動板の下に付設される紙積台支持テーブル移動板の移動装置の第２実施例の図式的平面図である。
【図６】図６は、紙積台支持テーブル移動板の移動装置の第２実施例を図５の左側から見た側面図である。
【図７】図７は、紙積台支持テーブル移動板の移動装置の第２実施例の図５の左方部分を右側から見た側面図である。
【図８】図８は、紙積台支持テーブル移動板の移動装置の第２実施例を図５の右側から見た側面図である。
【符号の説明】
１    紙積台支持テーブル移動板
１ａ    長孔
１ｂ    長孔
１ｃ    長孔
２    滑り子
１０    基板
１１    ハンドル
１２    握り
１３    傘歯車軸
１４    傘歯車
１５    傘歯車
１６    ボールねじ軸
１６ａ    ねじ部
１７    軸受
１８    軸受
１９    ナットブロック
１９ａ    内ねじ
１９′    ナットブロック
１９′ａ    内ねじ
１９′ｂ    平行溝
２０    ガイド板
２０ａ    ダブティール溝
２１    ローラ軸
２２    ローラ
２３    Ｌ状揺動レバ
２３ａ    又状部
２４    枢支軸
２５    ローラ軸
２６    ローラ
２７    ガイドブロック
２７ａ    ダブティール
２８    ガイド部材
２８ａ    凸状部分
２９    ガイド部材
２９ａ    凸状部分
３１    ハンドル
３２    握り
３３    傘歯車軸
３４    傘歯車
３５    傘歯車
３６    ボールねじ軸
３６ａ    ねじ部
３７    軸受
３８    軸受
３９    ナットブロック
３９ａ    内ねじ
３９′    ナットブロック
３９′ａ    内ねじ
３９′ｂ    平行溝
４０    ガイド板
４０ａ    ダブティール溝
４１    ローラ軸
４２    ローラ
４７    ガイドブロック
４７ａ    ダブティール
４８    ガイド部材
４８ａ    凸状部分
５１    ハンドル
５２    握り
５３    傘歯車軸
５４    傘歯車
５５    傘歯車
５６    ボールねじ軸
５６ａ    ねじ部
５７    軸受
５８    軸受
５９    ナットブロック
５９ａ    内ねじ
５９′    ナットブロック
５９′ａ    内ねじ
５９′ｂ    平行溝
６０    ガイド板
６０ａ    ダブティール溝
６１    ローラ軸
６２    ローラ
【図１】
0003717359.tif 000002
【図２】
0003717359.tif 000003
【図３】
0003717359.tif 000004
【図４】
0003717359.tif 000005
【図５】
0003717359.tif 000006
【図６】
0003717359.tif 000007
【図７】
0003717359.tif 000008
【図８】
0003717359.tif 000009